(57)【特許請求の範囲】
【請求項１】
ロール状保護用透明シートを支持する支持部と該支持部に取り付けられた鍔部と該鍔部に取り付けられた下部半円筒状被覆部と前記鍔部に取り付けられたフランジ部と一端側が前記下部半円筒状被覆部に嵌合する上部半円筒状被覆部とからなり、前記支持部は、収納ケース両端に半円筒状筒部を設けた構造であることを特徴とする保護用透明シートを配設した収納ケース。
【請求項２】
前記ロール状保護用透明シートは、図面を保護し、油性ペンで書き込みできるものであって、ポリオレフィン系又はポリハロゲン化ビニル系フィルムである請求項１記載の保護用透明シートを配設した収納ケース。
【請求項３】
前記フランジ部は、前記収納ケースが縦に直立できるように平坦部を有し、前記収納ケースが横に静止することができるよう多角形を有することを特徴とする請求項１又は請求項２記載の保護用透明シートを配設した収納ケース。
【請求項４】
前記収納ケースは、前記ロール状保護用透明シートの収納と収納された前記ロール状保護用透明シートを引き出せるように前記半円筒状被覆部同士の間に開口部を有することを特徴とする請求項１ないし請求項３のいずれかに記載の保護用透明シートを配設した収納ケース。
【請求項５】
前記収納ケースは、耐水性防音性材料からなることを特徴とする請求項１ないし請求項４のいずれかに記載の保護用透明シートを配設した収納ケース。
【請求項６】
前記収納ケースは、可視光を反射しにくい材料で被覆されていることを特徴とする請求項１ないし請求項５のいずれかに記載の保護用透明シートを配設した収納ケース。
【請求項７】
前記収納ケースは、表面の一部又は全部が迷彩柄で被覆されていることを特徴とする請求項１ないし請求項６のいずれかに記載の保護用透明シートを配設した収納ケース。
【発明の詳細な説明】
【技術分野】
【０００１】
本発明は図面又は地図を広げて見る際に、図面又は地図の上に配置して作戦や指示を書き込むための透明シートを収納する収納ケースに関し、さらに詳細には、透明シートを収納する収納ケースを屋外に持ち運び、登山の時や自衛隊が図面又は地図を広げて、図面又は地図の上に配置して作戦や指示をする際に利用される保護用透明シートを配設した収納ケースに関するものである。
【背景技術】
【０００２】
図面又は地図に登山のルートや作戦や指示をじかに書き込むと、その図面又は地図は繰り返し使用できなくなるので、図面又は地図の上に書き込みができるように透明シートを配設する用具が利用されている（実開昭６２−１２３６７９号公報）。
【特許文献１】実開昭６２−１２３６７９号公報
【０００３】
図４に示す海図等の図上作戦用具１１は、アクリル樹脂等の透明板１２とこれの四隅に装着した支柱１３からなり、用具１１は海図１４の上に載置される。このとき透明板１２と海図１４とは平行で両者間に簡易な支柱１３により間隔が置かれている。海図１４の真上から透明板１２を通して海図１４を観察しながら潮の流れ、魚の回遊経路など、さらに水温、塩分濃度その他のデータを透明板１２に記入する。修正を要する場合は、これらを消去して再度記入する。
【０００４】
上記図上作戦用具１１は、透明板のため、嵩張り持ち運びが困難である。そこで、巻き取り可能な透明シートを用いれば、ロール状に巻き取られ、持ち運びが容易になるが、運搬中に汚れたりシートの表面が擦れたりする欠点がある。また、ロール状シートをカバー材で被覆すると、使用時にカバー材を除去する手間がかかる。また、ロール状シートをカバー材で被覆しただけでは、運搬時に、ロール状シートは直立させても自立しにくく、ロール状シートから一端を引き出す作業も不安定である。更に自衛隊が作業中にロール状シートを引き出して用いる時に、ロール状シートが露出していると、光が反射して他人に気付かれやすいという欠点がある。
【発明の開示】
【発明が解決しようとする課題】
【０００５】
本発明は、上記従来の技術の欠点、即ち、保護用透明シートが運搬しにくく、汚れたり擦れたりしやすく、使用時にロール状シートから一端を引き出しにくく、図面や地図とともに収納しにくいという課題を解決するものである。
【課題を解決するための手段】
【０００６】
上記課題を解決するために、本発明は、特許請求の範囲の請求項に記載した保護用透明シートを配設した収納ケースを構成したものである。即ちその基本構成としては、
（イ）保護用透明シートを配設した収納ケースは、ロール状保護用透明シートを支持する支持部と該支持部に取り付けられた鍔部と該鍔部に取り付けられた下部半円筒状被覆部と前記鍔部に取り付けられたフランジ部と一端側が前記下部半円筒状被覆部に嵌合する上部半円筒状被覆部とからなり、前記支持部は、収納ケース両端に半円筒状筒部を設けた構造である。
（ロ）前記ロール状保護用透明シートは、図面を保護し、油性ペンで書き込みできるものであって、ポリオレフィン系又はポリハロゲン化ビニル系フィルムからなる。
（ハ）前記フランジ部は、前記収納ケースが縦に直立できるように平坦部を有し、前記収納ケースが横にして静止することができるように多角形を有している。
（ニ）前記収納ケースは、前記ロール状保護用透明シートの収納と収納された前記ロール状保護用透明シートを引き出せるように前記半円筒状被覆部同士の間に開口部を有している。
（ホ）前記収納ケースは、耐水性防音性材料からなっている。
（ヘ）前記収納ケースは、可視光を反射しにくい材料で被覆されている。
（ト）前記収納ケースは、表面の一部又は全部が迷彩柄で被覆されている。
【発明の効果】
【０００７】
本発明は、従来の技術の問題点を克服し、保護用透明シートを配設した収納ケースは、運搬しやすく、保護用透明シートは汚れたり擦れたりするのを防止することができる。また、ロール状保護用透明シートを引き出せるように前記半円筒状被覆部同士の間に開口部を有しているので、カッタ等でシートを必要な量だけ容易に引き出し切断し、必要に応じて、シートを再度収納することができる。
ロール状保護用透明シートは、表面が可視光を反射しにくい材料であれば他人に気付かれにくく、表面の一部又は全部が迷彩柄で被覆されていれば目立ちにくい。
【発明を実施するための最良の形態】
【０００８】
以下、本発明の保護用透明シートを配設した収納ケースについて詳細に述べる。
収納ケースCの構成は図１、及び図２に示す構造よりなるものであり、ロール状保護用透明シート１を支持する支持部２と支持部２に取り付けられた鍔部３と鍔部３に取り付けられた下部半円筒状被覆部４と鍔部３に取り付けられたフランジ部５と下部半円筒状被覆部４に嵌合する上部半円筒状被覆部６とからなっている。
下部半円筒状被覆部４と上部半円筒状被覆部６は耐水性防音性材料からなっている。
【０００９】
支持部２は半円筒状筒部２１とこれに連接した筒部２２と筒部２２に連接した円盤部２３とからなる。支持部２に取り付けられた鍔部３は、木製又は合成樹脂からなり、所定厚さを有する円板からなり、支持部２の上方に偏向した位置に円盤部２３にボルト２４で取り付けられている。下部半円筒状被覆部４は合成樹脂で形成されており、鍔部３の左右両側を一端にして鍔部３の下半円周を被覆するように半円筒状に形成されている。
【００１０】
下部半円筒状被覆部４の両端は支持部２に取り付けられた鍔部３にボルト４１で取り付けられている。
フランジ部５は木製又は合成樹脂からなり、鍔部３に取り付けられており、収納ケースＣが縦に直立できるように平坦部５１を有し、収納ケースＣが横に静止することができるよう多角形、例えば図１に示すように、四角形をなしている。
そして、上部半円筒状被覆部６は下部半円筒状被覆部４に一端で嵌合し、他端は開口７を有するように鍔部３の上半円周を被覆するように半円筒状に形成されている。
【００１１】
収納ケースＣは、耐水性防音性材料からなるが、可視光を反射しにくい材料で被覆されていてもよく、表面の一部又は全部が迷彩柄で被覆されていてもよい。
ロール状保護用透明シート１は図面を保護し、油性ペンで書き込みできるポリオレフィン系又はポリハロゲン化ビニル系フィルムが好適である。
【００１２】
保護用透明シートを配設した収納ケースの使用に際して、収納ケースＣの両端の支持部２にロール状保護用透明シートを支持し、下部半円筒状被覆部４に上部半円筒状被覆部６を鍔部３の上半円周を被覆するように一端側を嵌合すると、他端側には開口が形成され、ロール状保護用透明シートを開口から引き出しておく。図面又は地図に登山のルートや作戦や指示をする際には、図面又は地図の上に開口から引き出した透明シートを配設し、透明シートの上に所要事項を記入し、作戦や指示をすることができる。記入事項の変更の必要が生じたときでも消去して容易に書き換えることができる。
また、収納ケースの両端は平坦部を有し多角形に形成されているから、収納ケースが縦に直立でき、また横にして静止することができる。
【産業上の利用可能性】
【００１３】
保護用透明シートを配設した収納ケースは、登山の時や自衛隊が図面又は地図を広げて、図面又は地図の上に配置して作戦や指示をする際に利用されるばかりでなく、漁業や船舶運航において、海図等の図上作戦や携帯用トイレットペーパーの収納ケースとしても利用できる。
【図面の簡単な説明】
【００１４】
【図１】本発明の保護用透明シートを配設した収納ケースの部分斜視図である。
【図２】本発明の保護用透明シートを配設した収納ケースの断面図である。
【図３】本発明の保護用透明シートを配設した収納ケースを直立させた斜視図である。
【図４】従来の透明シートを配設した用具の斜視図である。
【符号の説明】
【００１５】
１  ；    ロール状保護用透明シート
２    ；    支持部
３    ；    鍔部
４    ；    下部半円筒状被覆部
５    ；    フランジ部
６    ；    下部半円筒状被覆部
７    ；    開口
２１  ；    半円筒状筒部
２２  ；    筒部  
２３  ；    円盤部
２４  ；    ボルト
５１  ；    平坦部
【図１】
0004849687.tif 000002
【図２】
0004849687.tif 000003
【図３】
0004849687.tif 000004
【図４】
0004849687.tif 000005